(57)【要約】      （修正有）【課題】夏の伝統的夜具の一つである蚊帳の持つ安価で省電力他の長所を生かし、温湿度制御された空気を含む快適空間を作る事ができる空調蚊帳を提供する。  【解決手段】方形の吊り式蚊帳１と空気清浄器Ｓからなる空調蚊帳であり、コロナ無声放電方式の空気清浄器Ｓの浄化風を用いて、殺虫剤不要の害虫対策と言う蚊帳１本来の特徴に加え、室内ではエアコンにより制御された外気が流入して浄化風と相まって蚊帳１内を快適空間にする。更に、送風扇或いはエアコンからの外気を取り込み蚊帳１内の噴射口から寝床面方向に放出して蚊帳１内を意識的に温度制御した空間と為し、これに浄化風を加えて一年中使える自立型空調蚊帳或いは天蓋ベッドにする。        【選択図】図１
0003229994.tif 000002
【実用新案登録請求の範囲】
【請求項１】
方形蚊帳と空調機器からなる空調蚊帳であって、方形吊下式蚊帳の少なくとも一辺の外部の上部に無声放電方式の空気清浄器を有し、空気清浄器は蚊帳外に設けた高電圧発生回路とプラス側の円筒形電極と中心部にあるマイナス側の放電ピンからなる分解作用によるイオン化風を放射する放射口と制御部を蚊帳内に有することを特徴とする空調蚊帳。  
【請求項２】
エアコンまたはエアコン相当の機能を有する機器から送風する温度あるいは温湿度を制御した外気を蚊帳外の送風ホ―スを経て方形蚊帳上部内側に設けたホース先端の放射口から蚊帳内の斜め下方向に外気を放出することを特徴とする請求項１記載の空調蚊帳。
【請求項３】
請求項１又は２に記載の空調蚊帳を有することを特徴とする天蓋ベッド。
【考案の詳細な説明】
【技術分野】
【０００１】
本考案は、空調蚊帳に関する。
【背景技術】
【０００２】
かつて夏の夜の風物詩と言われるほど使われていた蚊帳は薬剤や煙を使わずに蚊等の害虫被害の予防を主目的としたものであるが子供の寝冷えの予防等副次効果も有るとして広く使われていた。  現在は生活環境の変化と外気温の上昇に伴うエアコンの普及により蚊帳は使われなくなっているが、エアコンも長時間使用の際は２−３時間に一度の空気の入れ替えが推奨されている。
しかし熱帯夜等睡眠時にエアコンを使い２〜３時間に一度空気の入れ替えをするのは個人差はあるがほぼ無理と言わざるを得ない。
この空気入れ替え推奨の主な理由として考えられているのが送風ファンによる送風時に発生し、送風経路で増加する摩擦によって生ずるプラスイオンでエアコンの構造上やむを得ないとは言え、該プラスイオンは人の吐く二酸化炭素と共に不快空気を作る一因となっている。  該不快空気対策に加え花粉症、ＰＭ２．５、インフルエンザ対策にも効果が有ると言われるファンを使わないコロナ無声放電方式の空気清浄器とエアコンを併用している人もいる。
上記事情から蚊帳が本来持っている機能に加えてコロナ無声放電方式の空気清浄器が放出する殺菌力を有する微小のオゾンとプラスイオンの影響を減らすと共に清涼感を与える多量のマイナスイオンを有する風（以下、これを浄化風という。）を蚊帳内に設けた放射口から放出する事によってインフルエンザや花粉症やＰＭ２．５にも効果が有るとして期待する声があった。  
【先行技術文献】
【特許文献】
【０００３】
【特許文献１】特開Ｈ１０―２８６３０３号公報
【非特許文献】
【０００４】
【非特許文献１】共立電気産業株式会社サリールカタログ
【考案の概要】
【考案が解決しようとする課題】
【０００５】
本考案は、生活環境の変化と外気温の上昇により今や忘れられた存在となりつつあった夏の伝統的夜具の一つである蚊帳の持つ安価で省電力
で薬剤不使用の防虫被害対策他前記長所を生かすべく、今や多くの一般家庭の室内で使われているエアコンによる温湿度制御された風（以下、これを外気と言う。）が蚊帳の構造上流入する事を利用して、該蚊帳内に前記空気清浄器による浄化風を放出することにより結果的に温湿度制御された空気を含む快適空間になる様にする事。  また、エアコンがない場合でも前記空気清浄器による浄化風だけでも蚊帳内を快適空間にする事。
さらに、外気受送体により積極的に外気を取り込み、これに前記浄化風を加えて蚊帳内を一年中使える快適空間にする。
また、前記浄化風が有する微量のオゾンの殺菌効果と多量のマイナスイオンの効果によって蚊帳内を前記花粉症やＰＭ２．５やインフルエンザ対策にも効果を有する事を課題とする。
さらにまた、前記蚊帳を用いた天蓋ベッドを一年中使える快適な個人空間にすること。  
【課題を解決するための手段】
【０００６】
本考案は、コロナ無声放電方式の空気清浄器の浄化風を用いて、使用時には使用者の出入りが簡単で出入りに使う面積が小さくて済み、所定の空気流入出効果を有し、殺虫剤不要の害虫対策と言う蚊帳本来の特徴に加え、前記室内ではエアコンにより温度或いは温湿度制御された外気が流入して該浄化風と相まって蚊帳内を快適空間にする。
更に、エアコンが放出する外気を前記蚊帳内の噴射口から後記寝床面方向に放出して蚊帳内を意図的に温、湿度制御した空間と化し、これに前記浄化風を加えて一年中使える空調蚊帳とする。
また、天蓋ベッドに上記一年中使える空調蚊帳を取り付けて一年中使える快適空間を有する天蓋ベッドと為すものである。
【０００７】
本考案は蚊帳の大きさ、形状、網目の寸法、使用素材を特定しない。  従ってドーム型他蚊帳の機能を有する物であれば何れの形状でもよい。
さらに伝統の麻網目の物でも、不織布や化学繊維を使った近代的蚊帳風の物でもよい。
また、埃の侵入防止や蚊帳内空気の流通促進の為蚊帳の天井部や縦面上部に網目蚊帳以外の物、すなわち網目の蚊帳より空気を通し難い布または非通気加工布を使う事を妨げない。
さらに空気清浄器の方式を特定しない。従ってコロナ無声放電方式同様の効果を有する物であればよい。
また、使用するエアコンの方式、形状を特定しない。  従って温度制御機能しか無い物でも、フィルター装備の物でも、殺菌機能を付加したものであってもよい。
さらに、エアコンの空気取り込み送風用の空気受送体の方式を特定しない。  従って、合目的であれば任意の方式で受、送風することができる。
【考案の効果】
【０００８】
本考案は、蚊帳の空間内に放出した前記浄化風による殺菌力と快適性によって蚊帳内を快適空間にする。  さらにエアコンによる温、湿度を制御した外気を取り込み前記蚊帳内に設けた噴出口から放出すると共に空気清浄器の浄化風を加えることにより、微量のオゾンによる殺菌効果と多量のマイナスイオンによる前記プラスイオンの影響を減らした快適空間を得るに効果を有する。  また上記効果を有する蚊帳を天蓋ベッドに付け加えて花粉症患者の避難場所にもなる快適空間を作る。
【図面の簡単な説明】
【０００９】
【図１】伝統的な天吊り式蚊帳にコロナ無声放電方式の空気清浄器を設けた空調蚊帳の全体像を示す斜視図。
【図２】図１のＸ−Ｘ’の断面図で空気清浄器の浄化風放出口とＳＷ類の状態を示すを蚊帳の内部状況を示す開口図。
【図３】両端に天吊り紐の通し穴を有するコロナ無声放電方式の空気清浄器の斜視図。
【図４】四角に立てた四本の柱と柱間を結ぶ梁及び下板により構成された方形空間に蚊帳を取り付けた自立式蚊帳の全体像を示す斜視図。
【図５】図４のＹ−Ｙ’の断面図で前記空気清浄器の浄化風放出口及び図４の外気放出口２Ｇｍを示す開口図。
【図６】実施例２の空調蚊帳を有する天蓋ベッド３の全体像を示す立体図。
【考案を実施するための形態】
【００１０】
以下本考案を添付図面に従って実施例を説明する。
【実施例１】
【００１１】
図１の実施例１の方形吊り下げ式空調蚊帳１は、天井側上部４隅ＡＢＥ、ＢＣＥ、ＣＤＥ、ＤＡＥに設けた角縁の取り付け穴（穴の符号省略）を使った４本の吊り紐イ、ロ、ハ、二で室内高所のフック（不図示）を使って吊り下げられていて、蚊帳の縦４面Ａ，Ｂ．Ｃ，Ｄの下部には連続して伸びる裾Ｗがついている。  なお上記ＡＢＥとＤＡＥには空気清浄器の端部ＡｂｅとＤａｅが取り付けられ紐通し穴も共用しており、また紐イには空気清浄器専用のＡＣアダプター（不図示）に結ばれる電源コードＱが巻き付いている。
図２は蚊帳内にある空気清浄器の２本の浄化風噴射口ＳＨ１、ＳＨ２と電源ＳＷのＳＷ１と強弱制御ＳＷのＳＷ２及びパイロットランプ（附番省略）の形態を示した図１Ｘ−Ｘ’の断面開口図である。    実施例１は例えば蚊帳の裾をめくって蚊帳内に入った使用者は電源ＳＷのＳＷ１を押してＯＮにした後、強弱制御ＳＷ２を強または弱にして使用する。  （尚、電源ＳＷ１はＯＮ，ＯＦＦの繰り返し型、強弱制御ＳＷ２は１押しで強、２押しで弱の繰り返し型である。）
上記により、使用者は浄化風を満たした快適空間となる蚊帳内に設けた寝床（不図示）で心地よい睡眠ができる。
また、方形の吊り下げ式蚊帳はＡ、Ｂ、Ｃ、Ｄ面共通の裾Ｗ付き下部の適当な場所で、屈み込んだ人体が潜り入れる程度に下部をめくって素早く出入りすれば蚊ほか害虫の侵入を防ぐことができるので特に出入り口が無くても使用上問題はない。
さらに、この電子蚊帳を吊るした室内がエアコンにより温湿度調整されている場合、蚊帳内にはエアコンの温湿度制御された室内の外気が流入するので上記浄化風と合いまって蚊帳内をさらに快適な空間になる。
【実施例２】
【００１２】
実施例２の空調蚊帳２（図３）は、4本の支柱２ＰＡ，２ＰＢ，２ＰＣ，２ＰＤと該支柱間を結ぶ４本の上梁２ＡＢ、２ＢＣ、２ＣＤ，２ＤＡと４枚の下板２Ａｂ、２Ｂｃ，２Ｃｄ，２Ｄａ（不図示）によって形成された方形の空間に蚊帳２１が設けられている自立式で、蚊帳面Ａの外側横に冷暖切り替え機能を有する送風扇２Ｇと外気受送体Ｇｎと外気送風ホース２Ｇｐが設けられている。  この蚊帳２は天井側からの埃の侵入を防ぐ為天面Ｅと天面に連なる各２０ｃｍ巾で長方形の４垂面２Ａｋ、２Ｂｋ、２Cｋ、２Ｄｋには埃が通り難くく柔らかい布が用いられている。    
また、蚊帳２はＬ字形巾広のアルミ薄板を用いた梁２ＡＢ、２ＤＡと細いＬ字形の梁２ＢＣ、２ＤＡ（不図示）に付けられていてる。  また梁２ＡＢの外側には空気清浄器Ｓが付けられていて蚊帳内部に浄化風放射口ＳＨ１、ＳＨ２とＳＷ１，ＳＷ２が露出しており、梁２２ＤＡに密着した内部垂面２Ｄｋの内側には、内側２/３長まで伸びた外気送風ホース２Ｇｐが付けられていて、その先には天面Ｅと蚊帳面Ｄが形成する直角の１/２角方向下向きに外気噴射口２Ｇｍが開口している。    
上記により夏季高気温下には外部の送風扇２Ｇの冷気を受送体２Ｇｍからホース２Ｇｐを通して送り放射口２Ｇｍから前記下向きに放出して前記浄化風と合わせて蚊帳内を快適空間にする。
【００１３】
これにより高気温下でＣ面側を頭にして寝床に寝た場合冷気が上半身側を主に送られて頭冷状態になり前記浄化風と合わせて快適な安眠が得られる。    また寒期には外気を止めて電気かけ毛布や敷き毛布を使うか、温風機能を有する送風扇２Ｇから暖気を取り込み寝床の足側に移動した放射口２ＧＭ（不図示）から暖気を放出して足熱状態にできるので四季を通した前記快適空間となる。
あるいは、エアコンに外気受送体を繋いで送風すれば四季を通して温湿度制御完備の外気プラス浄化風と言う理想的快適空間になる。
さらにこの快適空間は、例えば花粉時期の花粉症患者の逃避場所としての前記快適効果も有することになる。  
【実施例３】
【００１４】
図５、実施例３の天蓋ベッド３は、実施例２の自立式の蚊帳２を天蓋ベッド内に設けた形になる。  すなわち実施例２の蚊帳２の天井部Ｅを天蓋ベッドの天蓋３Ｅの下側内面に密着して、天蓋の枠部ＥＡ、ＥＢ、ＥＣ、ＥＤに蚊帳２の上部垂面２Ａｋ，２Ｂｋ，２Ｃｋ，２Ｄｋの一部を固定して（不図示）蚊帳２付き天蓋ベッド３としたものである。
上記固定により蚊帳内への出入りに不便さが生じるので蚊帳の縦面Ａ〜Ｄを天蓋ベッドに合うカーテン形にして出入り安易にしているが、その他前記実施例２と重複する部分の説明は省略する。
上記天蓋ベッドも実施例２同様に一年を通して快適空間を得られるベッドになリ、さらに照明を持ち込むあるいは照明を取り付ければ年間を通して使える快適な個人空間となり、前記花粉の時期には花粉症患者の快適な避難場所にもなる。
【符号の説明】
【００１５】
１・・・実施例１の吊り式蚊帳
２・・・実施例２の自立式蚊帳
３・・・実施例３の蚊帳付き天蓋ベッド
Ａ・・・蚊帳の縦面Ａ（実施例１〜３共通）
Ｂ・・・蚊帳の縦面Ｂ（実施例１〜３共通）
Ｃ・・・蚊帳の縦面Ｃ（実施例１〜３共通）
Ｄ・・・蚊帳の縦面Ｄ（実施例１〜３共通）
Ｅ・・・蚊帳の天面又は天井面（実施例１〜３共通）
Ｗ・・・蚊帳Ａ〜Ｄの余剰部（実施例１〜３共通）
ＡＢＥ・・・蚊帳の角ＡＢ上部の穴付き角縁
ＢＣＥ・・・蚊帳の角ＢＣ上部の穴付き角縁
ＣＤＥ・・・蚊帳の角ＣＤ上部の穴付き角縁
ＤＡＥ・・・蚊１の角ＤＡ上部の穴付き角縁
Ａｂｅ・・・空気清浄器の端部でＡＢＥに重ね付けされる。
Ｄａｅ・・・空気清浄器の端部でＤＡＥに重ね付けされる。
イ・・・吊り紐イ
ロ・・・吊り紐ロ
ハ・・・吊り紐ハ
二・・・吊り紐二
Ｑ・・・電源コード
Ｓ・・・空気清浄器
ＳＨ１・・・浄化風放射口１
ＳＨ２・・・浄化風放射口２
ＳＷ１・・・空気清浄器の電源ＳＷ
ＳＷ２・・・空気清浄器の強弱制御ＳＷ
ＳＫ・・・上記Ｓの電源部とＳＷ部のカバー
２Ａ・・・実施例２の柱Ａ
２Ｂ・・・実施例２の柱Ｂ
２Ｃ・・・実施例２の柱Ｃ
２Ｄ・・・実施例２の柱Ｄ
２ＡＢ・・・実施例２の梁Ａ
２ＢＣ・・・実施例２の梁Ｂ
２ＣＤ・・・実施例２の梁Ｃ＊
２ＤＡ・・・実施例２の梁Ｄ＊
２Ａｂ・・・実施例２の下板Ａ＊
２Ｂｃ・・・実施例２の下板Ｂ＊
２Ｃｄ・・・実施例２の下板Ｃ＊
２Ｄａ・・・実施例２の下板Ｄ＊
２Ａｋ・・・蚊帳上部の垂面Ａ
２Ｂｋ・・・蚊帳上部の垂面Ｂ
２Ｃｋ・・・蚊帳上部の垂面Ｃ＊
２Ｄｋ・・・蚊帳上部の垂面Ｄ
２Ｇ・・・・送風扇（エアコン相当）
２Ｇｎ・・・外気受送体
２Ｇｐ・・・送風ホース
２Ｇｍ・・・外気噴射口
３Ｎ・・・・ベッド
上記＊印は説明用で図面上は未記入。
【図１】
0003229994.tif 000003
【図２】
0003229994.tif 000004
【図３】
0003229994.tif 000005
【図４】
0003229994.tif 000006
【図５】
0003229994.tif 000007
【図６】
0003229994.tif 000008